(57)【特許請求の範囲】
【請求項１】
褄側が脇線側より長くなるように、前身頃（１）の帯下部に設けられ、脇線に位置する前下り分（２ａ）の長さを有し幅方向に徐々に狭くなり前巾全体にわたって延びる三角形形状のダーツ（２）と、後身頃（３）の帯下部に設けられ前記ダーツの前下り分（２ａ）と通常の繰越し分（４）の和に相当する長さの繰越し部（５）とを備えた、ことを特徴とする対丈の着物。
【請求項２】
前記前身頃（１）と後身頃（３）は、帯下部から裾に向かってテーパ状に狭められている、ことを特徴とする請求項１に記載の対丈の着物
【請求項３】
前記前身頃（１）と同一生地からなり、着装時におはしょりに見える下端部を有するおはしょり分用布（７）と、該おはしょり分用布の上部に縫着した締紐（８）とからなり、前記おはしょり分用布の一部が前記身頃の帯下部に縫着されており、これにより着装することによっておはしょりがあるように見える、ことを特徴とする請求項１または２に記載の対丈の着物。
【発明の詳細な説明】
【０００１】
【発明の属する技術分野】
本発明は、着崩れが起きにくく、かつ容易に美しく着こなせる女性用の対丈の着物に関する。
【０００２】
【従来の技術】
従来より、着物の着付けには高度な技術が要求され、多くの小物を使用することもあって、一般的に初心者等が独自に着付けを行うことは非常に難しいとされている。
【０００３】
例えば、着物は一反の生地から裁断して仕立てるが、その際の裁ち方はほとんど直線裁ちであり、使用者の体形に合わせた裁ち方はほとんどされていない。そのため、特に裾の長さは必要以上に長く、着用の際には裾を引きずらざるを得ず、着替える場所が制限され、洋服のように手軽に着替えができない。また、着付けの際には、使用者の体形に合わせて、おはしょり（お端折り）と呼ぶ折返し部分を作って背丈に合わせる必要があり、その結果、着付けが熟練を要するものとなっている。
【０００４】
そこで、簡易かつ容易な着用を目的として、長着を上衣と下衣とに分離し、それぞれ縫着した締紐により着用する二部式着物が提案されている。
【０００５】
【発明が解決しようとする課題】
図４は、二部式着物の例であり、（Ａ）はそれぞれ締紐の付いた上衣と下衣、（Ｂ）は着用した状態を示している。このような二部式着物は、従来の着物（長着）と比べて、初心者でも手軽に和服を着用できる利点がある。しかし、二部式着物は、上衣と下衣に別れているため、着崩れが顕著に起こりやすい欠点があった。
【０００６】
そこで、従来の着物を身の丈と同じに布地を裁って着物を仕立てた「対丈の着物」が、従来から用いられていた。かかる対丈の着物は、二部式着物に比較して着崩れが起きにくく、かつ従来の着物（長着）と比べて、初心者でも手軽に和服を着用できる特徴を有している。図５は、かかる従来の対丈の着物の例であり、（Ａ）は通常の人、（Ｂ）は細身の人の例である。
【０００７】
しかし、かかる従来の対丈の着物にも、以下のような問題点があった。
（１）図５のＡ点、すなわち褄（つま）が、従来の対丈の着物では上がりすぎる傾向がある。これは、対丈の着物の裁ち方が直線裁ちであることによる。そのため、歩くと衿下が引張られて、衿もとがはだけやすい。また、裾（すそ）つぼまりに着ると、脇線Ｂが前の方にきて、裾線Ｃが斜めになりすぎ見た目に無理ができる。
在来の長着の場合には、上述した「おはしょり」により、これらの調整がなされていたが、おはしょりのない対丈の着物では、これらの欠点はやむを得ないものと考えられていた。
【０００８】
（２）また、従来の対丈の着物でも、後身頃（うしろみごろ）に繰越分を設けて、前見頃（まえみごろ）より短く仕立ててはいたが、美しく着こなすために衣紋Ｄ（えもん）を抜く（後ろに移動する）と、その分、従来の対丈の着物では、褄（つま）が一層上がってしまう。
そのため、従来の対丈の着物では、図５（Ｂ）に示すように、細身の人が細帯で着ればなんとか着こなせるが、衣紋を抜くことができず、又、衿下の合わさり分Ｅが多すぎて脇線Ｂも前によってきてしまう。さらに図５（Ａ）に示すように首が短く見え、衿下の合わさり分Ｅが多すぎると歩くとき直接衿の方まで引張られて衿もともくずれてしまう。
【０００９】
（３）さらに、従来の対丈の着物では、帯の下に見える上述した「おはしょり」がないため、長着に比較すると着物の高級感が薄らいでしまう。
【００１０】
本発明は上述した問題点を解決するために創案されたものである。すなわち、本発明の目的は、（１）着崩れが起きにくく、かつ初心者でも手軽に着用でき、着物を着慣れていない人でも褄が上がりすぎず容易に美しく着こなせ、裾（すそ）つぼまりに着ても無理のない裾線で着られ、歩いても前がはだけにくく、（２）衣紋（えもん）を抜いた時、首すじ方向に衿がかぶってこず、容易に美しく着こなせ、（３）「おはしょり」を備えることができ、これにより、長着と同様の高級感を容易に演出できる対丈の着物を提供することにある。
【００１１】
【課題を解決するための手段】
本発明によれば、褄側が脇線側より長くなるように、前身頃（１）の帯下部に設けられ、脇線に位置する前下り分（２ａ）の長さを有し幅方向に徐々に狭くなり前巾全体にわたって延びる三角形形状のダーツ（２）と、後身頃（３）の帯下部に設けられ前記ダーツの前下り分（２ａ）と通常の繰越し分（４）の和に相当する長さの繰越し部（５）とを備えた、ことを特徴とする対丈の着物が提供される。
【００１２】
これまで着物はほとんどの部分が直線で縫製されるため、体形の丸みに着付けただけで対応していた。これに対し、本発明の構成によれば、前身頃（１）の帯下部に設けられたダーツ（２）により、褄側が脇線側より長くなり、褄が上がりすぎず容易に美しく着こなせる。また、これにより、裾つぼまりに着ても胸のふくらみに程よく対応し無理のない裾線で着られ、歩いても前がはだけにくくなる。
【００１３】
さらに、後身頃（３）の帯下部の繰越し部（５）がダーツに対応する前下り分（２ａ）を余分に有するので、前身頃（１）に対する繰越し分（４）をダーツを設ける前と後で同一にでき、衣紋を抜いて、美しく着こなすことができる。
【００１４】
また、ダーツ（２）および繰越し分（４）は、帯下部に設けられているので、その上に帯（例えば周知の二部式帯）を締めることにより、二部式着物に比較して着崩れが起きにくく、かつ初心者でも手軽に着用できる。
【００１５】
本発明の好ましい実施形態によれば、前記前身頃（１）と後身頃（３）は、帯下部から裾に向かってテーパ状に狭められている。
【００１６】
この構成により、一層、裾（すそ）つぼまりに着ても衿下の合わさり分Ｅが多くなり過ぎないため、無理のない裾線で着られ、歩いても前がはだけにくく、かつ衣紋を抜いても、衿が首すじにかぶってこず、容易に美しく着こなせるようになる。つまり図２のダーツ２は、胸のふくらみ分として立体的に仕立てるのでこれらのことが解消できる。
【００１７】
また、前記身頃（１、３）と同一生地からなり、着装時におはしょりに見える下端部を有するおはしょり分用布（７）と、該おはしょり分用布の上部に縫着した締紐（８）とからなり、前記おはしょり分用布の一部が前記身頃の帯下部に縫着されており、これにより着装することによっておはしょりがあるように見える、ことが好ましい。
【００１８】
この構成により、前身頃（１）の帯下部に縫着されたおはしょり分用布（７）と締紐（８）を用いて、着物を寝巻きのように着るだけで、余分な小物を使用せずに着付けができる。
またその上に帯（例えば周知の二部式帯）を締めることにより、帯の下側からはみ出したおはしょり分用布（７）が、前身頃（１）と同一生地からなるので、見かけ上、「おはしょり」を備えることができ、これにより、長着と同様の高級感を容易に演出できる。
【００１９】
【発明の実施の形態】
以下、本発明の好ましい実施形態を図面を参照して説明する。なお、各図において、共通する部分には同一の符号を付し、重複した説明を省略する。
【００２０】
図１は、本発明の対丈の着物の着用状態を示す図である。この図に示すように、着物の着用状態において前側となる部分を前身頃１、後側となる部分を後身頃３と呼ぶ。
【００２１】
図２は、本発明の対丈の着物の仕立て方を示す図である。この図において、（Ａ）は前身頃１、（Ｂ）は後身頃３を示しており、図中の破線は、仕立て時の縫い代、斜線部分は折込み部分である。
【００２２】
この図に示すように、本発明の対丈の着物では、前身頃１の帯下部にダーツ２が設けられ、褄側が脇線側より長くなり、褄が上がりすぎないよう仕立てる。ダーツ２の大きさは、脇線に位置する前下り分２ａの長さが、例えば１０ｃｍ程度であり、幅方向に徐々に狭くなる三角形形状であるのがよい。
なお、帯下部とは、帯を締めた際に帯で隠れて見えなくなる部分を意味する。
【００２３】
また、前身頃１のダーツ２に対応する前下り分２ａと通常の繰越し分４の和に相当する長さの繰越し部５を、後身頃３の帯下部に備える。すなわち、従来の繰越し分４の代わりに、通常の繰越し分４に前下り分２ａを加算した長さを繰越し部５とする。
【００２４】
さらに、本発明の対丈の着物では、前身頃１と後身頃３は、帯下部から裾に向かってテーパ状に狭められている。すなわち、前身頃１の前巾１ａは、１ｃｍ程度の前巾控分１ｂを設け、通常の前巾より狭く設定され、その分、脇線側の縫い代を斜めにテーパ状に仕立てる。また、後身頃３の後巾３ａも、１ｃｍ程度の後巾控分３ｂを設け、通常の後巾より狭く設定され、その分、背側の縫い代を斜めにテーパ状に仕立てる。また、後身頃３には、前身頃１に対して４ｃｍ程度のたるみ６を設ける。
【００２５】
仕立て時の各部の寸法は、以下の式による。
細身の人の抱巾＝前巾−｛衿肩明−（後巾−前巾）×２／３｝・・・（１）
太った人の抱巾＝前巾−｛衿肩明−（後巾−前巾）｝／３・・・（２）
上り身丈＝身長−２５ｃｍ・・・（３）
裁ち切り身丈＝上り身丈＋（繰越分＋前下り分）／２＋裾くけ代・・・（４）
また、後巾と前巾共に、脇縫の裾で１ｃｍ少なくする。
【００２６】
なお、上述の仕立ては、使用者の体形に合わせて寸法を調整するのが良いが、数ｃｍ程度の間隔でプレタポルテとして準備してもよい。
【００２７】
図３は、仕立てた本発明の対丈の着物を示す図である。この図において、（Ａ）は帯を締める前の状態、（Ｂ）は着物単独、（Ｃ）は着物の疑似おはしょり具である。
本発明の対丈の着物では、この図に示すように、更に、おはしょり具を用いる。このおはしょり具は、前身頃及び後身頃と同一生地からなり、着装時におはしょりに見える下端部を有するおはしょり分用布７と、このおはしょり分用布７の上部に縫着した締紐８とを備える。おはしょり分用布７は、着物の衿、おくみ、前身頃、後身頃に対応した長さ（横巾）と巾（縦巾）を有する。おはしょり分用布７の長さ（横巾）は着物の巾と同一であり、巾（縦巾）は１５cm内外がよい。このおはしょり具を帯の下に着装することによっておはしょりがあるように見える。
【００２８】
この図に示すように、おはしょり分用布７の一部は前身頃１の帯下部に縫着されているのがよい。しかし、この縫着は必須ではなく、別の手段により取り外し可能にしてもよく、分離状態でセットとして準備してもよい。
【００２９】
上述した、本発明の対丈の着物は、浴衣のように、身の丈と同じに布地を裁って着物を仕立てたものであるが、帯の下に隠れる部分に、ダーツが設けられ、かつその際の裁ち方は従来の直線裁ちでなく、使用者の体形に合わせた裁ち方となっているものである。このダーツと特有の裁ち方により、従来「おはしょり」で調整していた美しい着こなし状態を、そのまま着るだけで実現できるように、仕立てている。
【００３０】
従って上述した本発明の構成によれば、前身頃１の帯下部に設けられたダーツ２により、図１、図３に示すように、褄側が脇線側より長くなり、褄が上がりすぎず容易に美しく着こなせる。また、これにより、裾つぼまりに着ても無理のない裾線で着られ、歩いても前がはだけにくくなる。
【００３１】
さらに、後身頃３の帯下部の繰越し部５がダーツに対応する前下り分２ａを余分に有するので、前身頃１に対する繰越し分４をダーツを設ける前後で同一にでき、衣紋を抜いて、美しく着こなすことができる。
【００３２】
また、ダーツ２および繰越し分４は、帯下部に設けられているので、その上に簡易な帯（例えば周知の二部式帯）を締めることにより、二部式着物に比較して着崩れが起きにくく、かつ初心者でも手軽に着用できる。
【００３３】
また、前身頃１と後身頃３が、帯下部から裾に向かってテーパ状に狭められている構成により、一層、裾つぼまりに着ても無理のない裾線で着られ、歩いても前がはだけにくく、かつ衣紋を抜いて長時間着ても衿が首すじにかぶってこず、容易に美しく着こなせるようになる。
【００３４】
さらに、前身頃１の帯下部に縫着されたおはしょり分用布７と締紐８を用いて、着物を寝巻きのように着るだけで、余分な小物を使用せずに着付けができる。
またその上に帯を締めることにより、帯の下側からはみ出した矩形布片７が、前身頃１と同一生地からなるので、見かけ上、「おはしょり」を備えることができ、これにより、長着と同様の高級感を容易に演出できる。
【００３５】
なお、本発明は、上述した実施例に限定されず、本発明の要旨を逸脱しない範囲で種々に変更できることは勿論である。
【００３６】
【発明の効果】
上述したように、本発明の対丈の着物は、以下の特徴を有する。
（１）裾（すそ）つぼまりに着ても無理のない裾線で着られる。
（２）衣紋（えもん）を抜いて着装しつづけることが容易である。
（３）歩いても前がはだけない。
（４）肥った人でも下腹部がすっきりする。
（５）体形による寸法の計算方法で着易くできる。
（６）帯も二部式の帯で簡単に洋服から和服に、和服から洋服に早変わりのおしゃれな生活が楽しめる。
【００３７】
従って、本発明の対丈の着物は、（１）着崩れが起きにくく、かつ初心者でも手軽に着用でき、着物を着慣れていない人でも褄が上がりすぎず容易に美しく着こなせ、裾（すそ）つぼまりに着ても無理のない裾線で着られ、歩いても前がはだけにくく、（２）衣紋（えもん）を抜いた時、首すじ方向に衿がかぶってこず、容易に美しく着こなせ、（３）「おはしょり」を備えることができ、これにより、長着と同様の高級感を容易に演出できる、等の優れた効果を有する。
【図面の簡単な説明】
【図１】本発明の対丈の着物の着用状態を示す図である。
【図２】本発明の対丈の着物の仕立て方を示す図である。
【図３】仕立てた本発明の対丈の着物の後身頃を示す図である。
【図４】二部式着物の例を示す図である。
【図５】従来の対丈の着物の例を示す図である。
【符号の説明】
１  前身頃、１ａ  前巾、１ｂ  前巾控分、
２  ダーツ、２ａ  前下り分、
３  後身頃、３ａ  後巾、３ｂ  後巾控分、
４  繰越し分、５  繰越し部、
６  たるみ、７  おはしょり分用布、８  締紐
【図１】
0003743632.tif 000002
【図２】
0003743632.tif 000003
【図３】
0003743632.tif 000004
【図４】
0003743632.tif 000005
【図５】
0003743632.tif 000006